(57)【要約】【課題】ヘッドフォンの装着状態に応じて音声出力の切換えを行うことのできる携帯電話音声再生システムを提供する。【解決手段】内蔵スピーカ１４０を有する携帯電話機１００と、使用者への装着状態を検出する装着センサ２２０を有するヘッドフォン２００と、を備える携帯電話音声再生システム１０であって、携帯電話機１００は、ヘッドフォン２００の装着検出手段１６３と、音声出力切換え手段１９０と、を備え、携帯電話機１００の装着検出手段１６３が、ヘッドフォン２００の装着センサ２２０の出力に基づいて、ヘッドフォン２００が使用者に装着された状態を検出した場合は、音声出力切換え手段１９０が、携帯電話機１００の音声出力をヘッドフォン２００に出力し、ヘッドフォン２００が使用者に装着されていない状態を検出した場合は、携帯電話機１００の音声出力を内蔵スピーカ１４０に出力することを特徴とする。【選択図】図２
2011114677.tif 000002
【特許請求の範囲】
【請求項１】
内蔵スピーカを有する携帯電話機と、使用者への装着状態を検出する装着センサを有する外部音声出力装置と、を備える携帯電話音声再生システムであって、
前記携帯電話機は、前記外部音声出力装置の装着検出手段と、音声出力切換え手段と、を備え、
前記携帯電話機の装着検出手段が、前記外部音声出力装置の装着センサの出力に基づいて、前記外部音声出力装置が使用者に装着された状態を検出した場合は、前記音声出力切換え手段が、前記携帯電話機の音声出力を前記外部音声出力装置からの出力に切換え、前記外部音声出力装置が使用者に装着されていない状態を検出した場合は、前記携帯電話機の音声出力を前記内蔵スピーカからの出力に切換えることを特徴とする携帯電話音声再生システム。
【請求項２】
前記携帯電話機が、オーディオ再生手段と通話制御手段とを備え、前記オーディオ再生手段によってオーディオを再生中に、前記通話制御手段によって音声通話の着信を検出した場合は、前記オーディオ再生手段が前記オーディオの再生を中止し、前記音声出力切換え手段が、通話音声出力を、前記外部音声出力装置又は前記内蔵スピーカからの出力に切換えることを特徴とする請求項１に記載の携帯電話音声再生システム。
【請求項３】
前記装着センサが、感圧センサ又は光センサであることを特徴とする請求項１又は２に記載の携帯電話音声再生システム。
【請求項４】
前記外部音声出力装置が、ヘッドフォン又はイヤフォン、若しくはワイヤレスヘッドフォン又はワイヤレスイヤフォンであることを特徴とする請求項１〜３のいずれか１項に記載の携帯電話音声再生システム。
【発明の詳細な説明】
【技術分野】
【０００１】
本発明は、携帯電話機における音声再生システムに関し、特に、内蔵スピーカを有する携帯電話機とユーザに装着されているか否かを検出する装着センサを有する外部音声出力装置を備える携帯電話音声再生システムで、外部音声出力装置の装着状態に応じて出力を切替える音声再生システムに関する。
【背景技術】
【０００２】
近年、携帯電話機には通話機能に加えて、カメラ機能、スケジュール管理機能、音楽ファイルやオーディオファイルの再生機能（以下、オーディオ再生機能）等のユーザの利便性を図った種々の機能が設けられている。中でも、オーディオ再生機能は、携帯電話機の通信機能を利用して情報提供サーバからダウンロードしたオーディオファイル、携帯電話機をコンピュータに接続してコンピュータから転送されたオーディオファイル等を、メモリーカード等に保存しておき、これを再生するものであり、メモリーカードの普及に伴って、多くの楽曲データを持ち運ぶことができるようになった。
【０００３】
携帯電話機のハウジングには、イヤフォンジャックが設けられている。先端にイヤフォンやヘッドフォンが接続されたイヤフォンプラグを差込んで接続すると、携帯電話機の内蔵スピーカにおいて再生される音声がイヤフォンジャックに接続されたイヤフォンやヘッドフォンから再生されるようになる。
【０００４】
携帯電話機にイヤフォンやヘッドフォンが接続し、オーディオファイルを再生中に音声通話（電話）の着信があると、オーディオファイルの再生は停止、又は一旦中断され、着信音が再生される。そして、ユーザが通話キーを押すと、通話状態になり、通話音声はイヤフォン又はヘッドフォンから発音される。また、携帯電話機のイヤフォンジャックに外部マイクロフォンが接続されていたり、或いはイヤフォンやヘッドフォンと外部マイクロフォンが一体化されたヘッドセットが接続されていたりする場合は、イヤフォンやヘッドフォンから通話音声が発音されるだけでなく、マイクロフォンにおいてユーザの音声を集音することもできる。
【０００５】
ところで、携帯電話機でオーディオファイル、特に音楽ファイルを再生し、イヤフォンやヘッドフォンで音楽を聴いているときには、携帯電話機の本体はポケットや鞄に入れた状態で使用されるため、再生キーを押す操作は大変煩わしいものであった。そこで、イヤフォンやヘッドフォンと携帯電話機本体を接続するコードの途中に操作ボタンを設けたものも存在する。
【０００６】
また、イヤフォンやヘッドフォンをユーザの耳から外している場合に音声通話の着信があった場合に、イヤフォンやヘッドフォンを装着した後に通話キーを操作しなければならず、電話に即座にでることができなかった。
【０００７】
そこで、下記特許文献１（特開２００２−９９１８号公報）には、ヘッドフォンにセンサが備え付けられた送受話装置および受話装置が開示されており、センサの出力値に基づいて、ユーザがヘッドフォンを耳に装着しているか否かを検出する。これにより、携帯電話機に音声通話の着信があった場合で、携帯電話機にヘッドフォンが接続されていれば、ユーザがヘッドフォンを耳に装着した際には通話状態になり、ヘッドフォンを耳から外すと終話状態になるので、通話キー等の操作をすることなく通話を開始・終了できる。
【先行技術文献】
【特許文献】
【０００８】
【特許文献１】特開２００２−９９１８号公報（段落［０００４］〜［０００６］、［００４５］参照）
【発明の概要】
【発明が解決しようとする課題】
【０００９】
しかしながら、携帯電話機でオーディオファイル、特に音楽ファイルを再生し、イヤフォンやヘッドフォンで音楽を聴いているときに音声通話の着信があった場合、電話に出るために驚いてヘッドフォンを耳から外す人が多い。ヘッドフォンを外し、通話キーを押し、携帯電話機本体を耳に近づけて会話しようとしても、ヘッドフォンが携帯電話機にいまだに接続されたままの状態であるために、携帯電話機本体からの音声は内蔵スピーカから発音されず、ヘッドフォンから発音されるため、通話ができないことに驚いて、慌ててしまい、通話に支障が生じていた。
【００１０】
そこで本発明の目的は、ユーザのヘッドフォンの装着状態に応じて音声出力の切換えを行うことのできる携帯電話音声再生システムを提供することにある。
【００１１】
本発明の目的は、さらに、携帯電話機においてオーディオファイルの再生中に着信があった場合、ヘッドフォンを装着している場合には通話音声出力をヘッドフォンから出力し、ヘッドフォンを外した場合にはユーザが驚いてヘッドフォンを外してしまい、そのために通話ができないという不都合を解消した携帯電話音声再生システムを提供することにある。
【課題を解決するための手段】
【００１２】
上記課題を解決するために、本発明は、
内蔵スピーカを有する携帯電話機と、使用者への装着状態を検出する装着センサを有する外部音声出力装置と、を備える携帯電話音声再生システムであって、
前記携帯電話機は、前記外部音声出力装置の装着検出手段と、音声出力切換え手段と、を備え、
前記携帯電話機の装着検出手段が、前記外部音声出力装置の装着センサの出力に基づいて、前記外部音声出力装置が使用者に装着された状態を検出した場合は、前記音声出力切換え手段が、前記携帯電話機の音声出力を前記外部音声出力装置からの出力に切換え、前記外部音声出力装置が使用者に装着されていない状態を検出した場合は、前記携帯電話機の音声出力を前記内蔵スピーカからの出力に切換えることを特徴とする。
【００１３】
また、本発明の一態様は、前記携帯電話機が、オーディオ再生手段と通話制御手段とを備え、前記オーディオ再生手段によってオーディオを再生中に、前記通話制御手段によって音声通話の着信を検出した場合は、前記オーディオ再生手段が前記オーディオの再生を中止し、前記音声出力切換え手段が、通話音声出力を、前記外部音声出力装置又は前記内蔵スピーカからの出力に切換えることを特徴とする。
【００１４】
また、本発明の一態様は、前記装着センサが、感圧センサ又は光センサであることを特徴とする。
【００１５】
また、本発明の一態様は、前記外部音声出力装置が、ヘッドフォン又はイヤフォン、若しくはワイヤレスヘッドフォン又はワイヤレスイヤフォンであることを特徴とする。
【発明の効果】
【００１６】
本発明の携帯電話音声再生システムによれば、以下に示す優れた効果を発揮する。すなわち、外部音声出力装置に設けられた装着センサによって、この外部音声出力装置が使用者に装着されているか否かを検出し、その状態を携帯電話機の装着検出手段によって判定し、外部音声出力装置が使用者に装着された状態を検出した場合は、音声出力切換え手段が、携帯電話機の音声出力を外部音声出力装置からの出力に切換え、外部音声出力装置が使用者に装着されていない状態を検出した場合は、音声出力切換え手段が、携帯電話の音声出力を内蔵スピーカからの出力に切換える。これにより、使用者がヘッドフォン等の外部音声出力装置を装着して使用しているとしても、無条件に音声を外部音声出力装置から出力するのではなく、それを装着しているときにのみ外部音声出力装置から音声を出力することができ、外部音声出力装置を装着していないとき、つまり耳等から外した際に携帯電話機の音声を内蔵スピーカで聞くことができなくなってしまって慌ててしまうというような不都合や混乱を回避できるようになる。
【００１７】
また、本発明の携帯電話音声再生システムによれば、携帯電話機において音楽や動画等のオーディオファイルを再生することができ、オーディオファイルの再生中に電話がかかってきたような場合、オーディオファイルの再生を中止し、音声出力切換え手段が、通話音声出力を、使用者がヘッドフォン等の外部音声出力装置を装着しているときにのみ外部音声出力装置からの音声出力に切換え、装着していない場合は携帯電話機の内蔵スピーカからの出力に切換える。これにより、使用者が電話の着信に驚いてヘッドフォン等の外部音声出力装置を外してしまった場合でも通話音声を使用者の状態に合わせて出力でき、使用者が外部音声出力装置を外してしまうことに起因する不都合や混乱を回避できる。
【００１８】
また、本発明の携帯電話音声再生システムによれば、装着センサが感圧センサ又は光センサである。装着センサが感圧センサである場合、ヘッドフォン等の外部音声出力装置が使用者に装着されている際の圧力を検出することにより容易に装着状態を検出でき、装着センサが光センサである場合、使用者に装着されている装着部分の明るさを検出することにより容易に装着状態を検出できるようになる。
【００１９】
また、本発明の携帯電話音声再生システムによれば、外部音声出力装置としてヘッドフォン、イヤフォン、ワイヤレスヘッドフォン、ワイヤレスイヤフォンを採用することができる。
【図面の簡単な説明】
【００２０】
【図１】本実施例における携帯電話音声再生システムの構成を示す概略図である。
【図２】本実施例における携帯電話音声再生システムの内部ブロック図である。
【図３】携帯電話音声再生システムの音声通話着信時における音声出力の切換え動作のフローチャートである。
【図４】携帯電話音声再生システムを使用した際の動作の流れを模式的に示した図である。
【発明を実施するための形態】
【００２１】
以下、本願発明を実施するための最良の形態を実施形態と共に図１〜４を参照して詳細に説明する。ただし、以下に示す実施形態は、本発明の技術思想を具体化するための携帯電話音声再生システムを例示して説明するものであって、本発明をこの実施例に特定することを意図するものではなく特許請求の範囲に示した技術思想を逸脱することなくその他の実施形態にも等しく適用し得るものである。
【実施例】
【００２２】
まず、図１を参照して、本発明の実施例にかかる携帯電話音声再生システムの全体の構成について詳細に説明する。なお、図１は本実施例における携帯電話音声再生システムの概略図である。
【００２３】
携帯電話音声再生システム１０は、携帯電話機１００とヘッドフォン２００を備えて構成される。携帯電話機１００は、ディスプレイ１１０、入力操作部１２０、イヤフォンジャック１３０、内蔵スピーカ１４０、内蔵マイクロフォン１５０を備えている。
【００２４】
ディスプレイ１１０は、液晶ディスプレイユニット等で構成され、現在の時刻、通話中の電話番号、実行可能な機能の内容、生成されるオーディオファイル名等が表示される。入力操作部１２０は、各種キーから構成される。なお、各種キーの詳細については図２において後述する。
【００２５】
ヘッドフォン２００は、発音部２１０、発音部２１０に取り付けられた感圧センサ２２０、コード２３０、プラグコネクタ２４０から構成されている。発音部２１０はスピーカ等を内部に内蔵しており、発音部２１０をユーザの耳に装着し、スピーカ等から出力される音声をユーザに提供するものである。ユーザの耳に当てて使用するために、この発音部２１０はやわらかいクッション材で構成され、この内部にスピーカ等が取り付けられている。
【００２６】
感圧センサ２２０は、例えば、シート状感圧センサであって、発音部２１０を構成するクッション材の表面に複数個設けられている。ユーザがヘッドフォン２００を装着すると、発音部２１０が耳に接触した状態となり、感圧センサ２２０に加わる圧力が増し、これによって感圧センサ２００を構成している接点間の抵抗値等が変化する。これにより、ヘッドフォン２００がユーザに装着されている状態、又は装着されていない状態のいずれかを検出することができる。
【００２７】
コード２３０は、プラグコネクタ２４０と発音部２１０及び感圧センサ２２０を接続するもので、発音部２１０に音声信号を供給したり感圧センサ２２０からの検出出力をプラグコネクタ２４０に伝達したりする。
【００２８】
プラグコネクタ２４０はイヤフォンジャック１３０に挿入できる形状と寸法であり、プラグコネクタ２４０をイヤフォンジャック１３０に挿入して接続すると、携帯電話機１００において再生されているオーディオファイルの音声信号や、音声通話の音声信号がヘッドフォン２００に送信され、発音部２１０にて音声として発音されるようになる。
【００２９】
次に、図２を参照して、携帯電話音声再生システム１０の機能的な構成について詳細に説明する。なお、図２は本実施例における携帯電話音声再生システムの内部ブロック図である。携帯電話機１００は、ディスプレイ１１０、入力操作部１２０、イヤフォンジャック１３０（図示せず）、内蔵スピーカ１４０、内蔵マイクロフォン１５０に加えて、さらに、制御回路１６０、通信部１７０、ベースバンド部１８０、音声出力切換え手段１９０を備えて構成される。
【００３０】
ここで、既に説明した構成要素の詳細な説明は省略する。入力操作部１２０は、電話番号等の入力を行うためのテンキー１２１、携帯電話機１００に音声通話の着信があった場合に電話に応答するための着呼動作や、携帯電話機１００から発信する際の発呼動作を行うための通話キー１２２、通話の終了を操作する切キー１２３、電子メール機能やインターネット機能、音楽ファイルの再生操作等の各種機能の設定を行う機能キー１２４等から構成されている。
【００３１】
制御回路１６０は、ＲＯＭ１６１、ＲＡＭ１６２に記憶されたプログラムをＣＰＵにおいて実行することにより携帯電話機１００の各部の機能を制御・統括するものであり、装着検出手段１６３、オーディオ再生手段１６４、通話制御手段１６５を備えて構成される。
【００３２】
装着検出手段１６３は、ヘッドフォン２００が携帯電話機１００に接続されているか否かを検出する。これは、携帯電話機１００のイヤフォンジャック１３０にプラグコネクタ２４０が挿入されているか否かを電気的／機械的な方法で検出することによって行われる。或いは、後述の感圧センサ２２０の出力値に基づいてヘッドフォン２００の接続状態を判定するような構成であってもよい。また、装着検出手段１６３は、感圧センサ２２０の出力に基づいて、ヘッドフォン２００がユーザに装着されている状態、或いは、ヘッドフォン２００がユーザに装着されていない状態のいずれかを判定する。ヘッドフォン２００が装着され、発音部２１０がユーザの耳に密着されると、そこに取り付けられた感圧センサ２２０に圧力が加わる。感圧センサ２２０はこの圧力に応じた信号を出力し、装着検出手段１６３がこの信号に基づいて、検出される圧力が閾値以上であるか否かを判定することによって、ヘッドフォン２００の装着状態を判定する。
【００３３】
オーディオ再生手段１６４は、ＲＯＭ１６１に記憶され音楽や動画等のオーディオファイルを再生する。オーディオファイルは、大抵圧縮したデータファイルとして記憶されている。ユーザが機能キー１２４を操作することでオーディオファイルを選択し、再生指示を行うと、オーディオ再生手段１６４は対象のオーディオファイルを復号化して再生可能な信号に変換し音声出力切換え手段１９０に出力する。また、オーディオ再生手段１６４は、オーディオファイルの再生中に音声通話の着信の通知を通話制御手段１６５から受けると、オーディオファイルの再生を中止、若しくは一時中断する。
【００３４】
通話制御手段１６５は、携帯電話機１００の発呼制御、着呼制御を司るものである。ユーザがテンキー１２１を操作すること等によって電話番号を入力し、通話キー１２２を押すと通話制御手段１６５は通信部１７０を介して基地局へ発信し、指定の電話番号への発呼を行う。また、基地局から通信部１７０を介して着信を検出すると、着信音の出力処理を制御したり、ディスプレイ１１０に着信したことを表示したりしてユーザに通知し、ユーザが通話キー１２２を押すと着呼する。
【００３５】
なお、着信音データは予めＲＯＭ１６１等に記憶されているものとする。
【００３６】
通信部１７０は、アンテナ１７１と接続されている。通信部１７０は後述のベースバンド部１８０からの信号をアンテナ１７１を介して基地局へ発信し、或いは、アンテナ１７１を介して基地局からの電波を受信する。この通信部１７０によって、携帯電話機１００は他の通信装置（例えば携帯電話装置等）と通信（通話）することができるとともに電子メールの送受信が可能となり、さらにはインターネットに接続することも可能である。
【００３７】
ベースバンド部１８０は、ＣＤＭＡ処理回路１８１、音声コーデック１８２を備えて構成されている。ＣＤＭＡ処理回路１８１は、符号分割多元接続、スクランブル、誤り制御、タイミング検出を行う。また、音声コーデック１８２は、音声を圧縮（符号化）、伸張（複合化）したり、アナログとデジタルの変換を行ったり、内部の増幅回路により受話音量やマイクロフォンの感度を変更する。
【００３８】
ベースバンド部１８０には、音声出力切換え手段１９０が接続されている。音声出力切換え手段１９０は、装着検出手段１６３が判定したヘッドフォン２００の装着状態に基づいて、ベースバンド部１８０の出力、又はベースバンド部１８０への入力を、内蔵スピーカ１４０と内蔵マイクロフォン１５０側にするか、或いは、ヘッドフォン２００と外部マイクロフォン２５０側にするかを切替える。音声出力切換え手段１９０と内蔵スピーカ１４０は増幅回路１９１を介して接続され、ベースバンド部１８０で処理された音声信号は音声出力切換え手段１９０を介して増幅回路１９１に出力され、増幅回路１９１において増幅されたのち内蔵スピーカ１４０から出力される。音声出力切換え手段１９０と内蔵マイクロフォン１５０は増幅回路１９２を介して接続され、通話中に内蔵マイクロフォン１５０において集音された音声は電気信号に変換され、増幅回路１９２において増幅され、音声出力切換え手段１９０を介してベースバンド部１８０に出力される。
【００３９】
音声出力切換え手段１９０とヘッドフォン２００は増幅回路１９４を介して接続され、ベースバンド部１８０で処理された音声信号は音声出力切換え手段１９０を介して増幅回路１９４に出力され、増幅回路１９４において増幅されたのちヘッドフォン２００の発音部２１０から出力される。増幅回路１９４は、携帯電話機１００に内蔵されていてもよいし、ヘッドフォン２００に組込まれる構成としてもよい。音声出力切換え手段１９０と外部マイクロフォン２５０は増幅回路１９３を介して接続され、通話中に外部マイクロフォン２５０において集音された音声は電気信号に変換され、増幅回路１９３において増幅され、音声出力切換え手段１９０を介してベースバンド部１８０に出力される。なお、増幅回路１９３は携帯電話機１００に内蔵されていてもよいし、ヘッドフォン２００に外部マイクロフォン２５０とともに組込まれるように構成してもよい。
【００４０】
次に図３を参照して、携帯電話音声再生システム１０の動作について説明する。なお、図３は、携帯電話音声再生システム１０の音声通話着信時における音声出力の切換え動作のフローチャートである。
【００４１】
まず、ステップＳ３０１において、制御回路１６０の装着検出手段１６３は、ヘッドフォン２００が携帯電話機１００に接続されているか否かを判定する。携帯電話機１００にヘッドフォン２００が接続されていないと判定された場合、ステップＳ３０２において、通話制御手段１６５は音声通話の着信を待機する。通話制御手段１６５が音声通話の着信を検出すると、ステップＳ３０３において、音声出力切換え手段１９０は、ベースバンド部１８０の出力、又はベースバンド部１８０への入力を内蔵スピーカ１４０及び内蔵マイクロフォン１５０側に接続されるようにする。その結果、アンテナ１７１、通信部１７０から入力された信号はベースバンド部１８０において処理され、音声出力切換え手段１９０および増幅回路１９１を介して内蔵スピーカ１４０から音声信号として出力される。
【００４２】
また、内蔵マイクロフォン１５０で集音された音声は電気信号に変換され、増幅回路１９２および音声出力切換え手段１９０を介してベースバンド部１８０において処理され、通信部１７０、アンテナ１７１から出力される。通話制御手段１６５がステップＳ３０４において通話を終了したことを検出すると、処理が終了する。
【００４３】
ステップＳ３０１において、装着検出手段１６３がヘッドフォン２００の接続されていることを判定すると、ステップＳ３０５において、通話制御手段１６５は音声通話の着信を待機する。通話制御手段１６５が音声通話の着信を検出すると、ステップＳ３０６において、装着検出手段１６３は感圧センサ２２０の信号出力値に基づいて、ヘッドフォン２００がユーザに装着されているか否かを判定する。
【００４４】
ヘッドフォン２００がユーザに装着されていると判定された場合、ステップＳ３０７において、音声出力切換え手段１９０は、ベースバンド部１８０の出力又はベースバンド部１８０への入力をヘッドフォン２００と外部マイクロフォン２５０側に接続する。すると、アンテナ１７１、通信部１７０から入力された信号はベースバンド部１８０において処理され、音声出力切換え手段１９０および増幅回路１９４を介してヘッドフォン２００の発音部２１０から音声信号として出力される。
【００４５】
また、外部マイクロフォン２５０で集音された音声は電気信号に変換され、増幅回路１９３および音声出力切換え手段１９０を介してベースバンド部１８０において処理され、通信部１７０、アンテナ１７１から出力される。通話制御手段１６５がステップＳ３０８において通話が終了したことを検出すると、処理が終了する。
【００４６】
ステップＳ３０６において、装着検出手段１６３が感圧センサ２２０の信号出力値に基づいて、ヘッドフォン２００がユーザに装着されていないと判定された場合、ステップＳ３０３の処理に進む。ステップＳ３０３において、音声出力切換え手段１９０は、ベースバンド部１８０の出力、又はベースバンド部１８０への入力を内蔵スピーカ１４０及び内蔵マイクロフォン１５０側に接続されるようにする。その結果、アンテナ１７１、通信部１７０から入力された信号はベースバンド部１８０において処理され、音声出力切換え手段１９０および増幅回路１９１を介して内蔵スピーカ１４０から音声信号として出力される。
【００４７】
また、内蔵マイクロフォン１５０で集音された音声は電気信号に変換され、増幅回路１９２および音声出力切換え手段１９０を介してベースバンド部１８０において処理され、通信部１７０、アンテナ１７１から出力される。通話制御手段１６５がステップＳ３０４において通話を終了したことを検出すると、処理が終了する。
【００４８】
上記には、携帯電話機１００に音声通話着信時において、ユーザのヘッドフォン２００の装着状態に応じ、音声出力切換え手段１９０が音声の出力先及び音声入力の入力側を内蔵スピーカ１４０、内蔵マイクロフォン１５０、又はヘッドフォン２００、外部マイクロフォン２５０のどちらかに切替えることについて説明した。実際の使用時には、携帯電話機１００を使用して音楽や動画等のオーディオファイルを再生している際に音声通話の着信があることが多い。
【００４９】
携帯電話機１００においてオーディオファイルの再生はオーディオ再生手段１６４によって行われるが、ファイルの再生中に音声通話の着信があったことを通話制御手段１６５が検出すると、オーディオ再生手段１６４はオーディオファイルの再生を停止又は中止し、音声出力切換え手段１９０はヘッドフォン２００の装着状態に基づいて着信音や通話音声をヘッドフォン２００側又は内蔵スピーカ１４０側に切換える。
【００５０】
図４は、オーディオファイルの再生中に着信があった場合の様子を例示したものである。図４Ａに示すように、携帯電話機１００の使用者あるユーザ４００は、携帯電話機１００にヘッドフォン２００を接続し、その発音部２１０を耳に当て、携帯電話機１００のオーディオ再生手段１６４によってオーディオファイルを再生している。携帯電話機１００において再生されている音声はヘッドフォン２００の発音部２１０から出力されている。
【００５１】
図４Ｂは、携帯電話機１００においてオーディオファイルを再生中に音声通話の着信があった状態を示している。このとき、オーディオ再生手段１６４はオーディオファイルの再生を停止又は中止し、音声出力切換え手段１９０が出力先を切換え、通信制御部１６５の制御により着信音が出力される。この状態のときに、ユーザ４００はヘッドフォン２００の発音部２１０を耳に当てている、つまりヘッドフォン２００が装着状態にあるので、着信音はヘッドフォン２００の発音部２１０から出力される。また、このとき、着信音の出力と同時に携帯電話機１００本体が振動して着信を報知する。
【００５２】
ここで、ユーザ４００が驚いてヘッドフォン２００を耳から外した状態が図４Ｃに示されている。すると、装着検出手段１６３が、ヘッドフォン２００の感圧センサ２２０からの出力に基づいてヘッドフォン２００がユーザ４００の耳から外された状態を検出し、音声出力切換え手段１９０が音声出力及び音声入力を、内蔵スピーカ１４０及び内蔵マイクロフォン１５０に切換える。そのため、ユーザ４００はヘッドフォン２００を外したとしても携帯電話機１００の内蔵スピーカ１４０から音声を聞き取ることができるので、支障なく通話を行うことが可能となる。
【符号の説明】
【００５３】
１０        携帯電話音声再生システム
１００      携帯電話機
１１０      ディスプレイ
１２０      入力操作部
１３０      イヤフォンジャック
１４０      内蔵スピーカ
１５０      内蔵マイクロフォン
１６０      制御回路
１６３      装着検出手段
１６４      オーディオ再生手段
１６５      通話制御手段
１９０      音声出力切換え手段
２００      ヘッドフォン
２１０      発音部
２２０      感圧センサ
２５０      外部マイクロフォン
【図１】
2011114677.tif 000003
【図２】
2011114677.tif 000004
【図３】
2011114677.tif 000005
【図４】
2011114677.tif 000006